(57)【特許請求の範囲】
【請求項１】
室外機、室内機、並びに上記室外機及び上記室内機の運転を制御する制御装置を有し、
上記室外機と上記室内機の少なくとも一方には、これらの室外機及び室内機を循環する冷媒の流れを制御する複数の弁が配設され、これらの弁が、上記制御装置により順次切り替えられて開度操作される空気調和装置において、
上記制御装置は、各弁の開度操作のため一定時間に定められた一回の操作時間以内で、現在開度操作中の弁が既に目標開度に到達した場合には、直ちに次の弁の開度操作に切り替えるよう制御することを特徴とする空気調和装置。
【請求項２】
室外機、室内機、並びに上記室外機及び上記室内機の運転を制御する制御装置を有し、
上記室外機と上記室内機の少なくとも一方には、これらの室外機及び室内機を循環する冷媒の流れを制御する複数の弁が配設され、これらの弁が、上記制御装置により順次切り替えられて開度操作される空気調和装置において、
上記制御装置は、各弁の開度操作のため一定時間に定められた一回の操作時間以内では、現在開度操作中の弁が目標開度に到達しない場合に、当該弁が上記目標開度に到達するまで当該弁の上記操作時間を延長させるよう制御することを特徴とする空気調和装置。
【請求項３】
室外機、室内機、並びに上記室外機及び上記室内機の運転を制御する制御装置を有し、
上記室外機と上記室内機の少なくとも一方には、これらの室外機及び室内機を循環する冷媒の流れを制御する複数の弁が配設され、これらの弁が、上記制御装置により順次切り替えられて開度操作される空気調和装置において、
上記制御装置は、操作頻度が高い順に各弁に設定された優先順位を、空気調和装置の運転状況に応じて変更させるよう制御することを特徴とする空気調和装置。
【発明の詳細な説明】
【０００１】
【発明の属する技術分野】
本発明は、冷媒の流れを制御する複数の弁の開度操作を改善した空気調和装置に関する。
【０００２】
【従来の技術】
近年、ガスエンジンを室外機における圧縮機の駆動源とするガスヒートポンプ空気調和装置が採用される傾向にある。このような空気調和装置は、室外機、室内機、並びに室外機及び室内機の運転を制御する制御装置を有し、上記室外機には、室外機及び室内機を循環する冷媒の流れを制御する複数（例えば５個）の電動弁が設置されたものがあり、これらの電動弁が、上記制御装置により順次切り替えられて開度操作される。
【０００３】
制御装置による複数の上記電動弁の開度操作は、操作頻度が高い順に各電動弁に優先順位を固定して（変更することなく）設定し、更に、各電動弁の開度操作のために必要な１回の操作時間を、各電動弁について一定時間に定め、上記優先順位の高い順に上記操作時間の下で、複数の電動弁を均等に時分割制御している。
【０００４】
つまり、図５に示すように、制御装置は、予め、メイン電動弁、第１分流電動弁、第２分流電動弁、第３分流電動弁、バイパス電動弁の順に優先順位を設定し、各電動弁を操作するための１回の操作時間をたとえば１０００ｍｓｅｃに設定する。制御装置は、電動弁の制御開始時には、まず、内蔵のタイマをクリアし（ステップＳ１０１）、優先順位の最も高いメイン電動弁を最初に開度操作する（ステップＳ１０２）。次に、制御装置は、上記操作時間が経過したか否かを判定し（ステップＳ１０３）、経過した段階でタイマをクリアし（ステップＳ１０４）、次の優先順位の第１分流電動弁を開度操作する（ステップＳ１０５）。制御装置は、上記操作時間が経過したか否かを判定し（ステップＳ１０６）、経過した段階でタイマをクリアし（ステップＳ１０７）、次の優先順位の第２分流電動弁を開度操作する（ステップＳ１０８）。制御装置は、上述と同様に操作して、優先順位の低い第３分流電動弁及びバイパス電動弁を順次開度操作し（ステップＳ１０９〜ステップＳ１１２）、バイパス電動弁の操作時間が経過した段階でステップＳ１０１に戻り、上述のステップＳ１０１〜Ｓ１１２を繰り返す。
【０００５】
【発明が解決しようとする課題】
制御装置が上述のように複数の電動弁を制御することから、任意の電動弁（例えばメイン電動弁）が１回の操作時間以内において既に目標開度に到達してしまった場合には、上記１回の操作時間における残りの時間は、メイン電動弁の操作が行われていない待機時間となり、これが無駄時間となって、複数のすべての電動弁を開度操作するための所要時間の長大化を招き、制御装置による電動弁の制御性が低下する虞がある。
【０００６】
また、各電動弁について、これらの電動弁を開度操作するための１回の操作時間が一律に一定時間に定められていることから、例えばメイン電動弁を１回の操作時間内で目標開度に設定できなかった場合には、このメイン電動弁を目標開度に設定するために、第１分流電動弁、第２分流電動弁、第３分流電動弁及びバイパス電動弁の各１回の操作時間後にめぐってくるメイン電動弁の次回の操作時間まで待たなければならない。この結果、即座に操作しなければならないメイン電動弁の開度操作が遅れて、制御装置による電動弁の制御性が低下する虞がある。
【０００７】
更に、空気調和装置の運転状況に応じて操作頻度の高い電動弁が異なった場合、たとえば第１分流電動弁を操作しなくてもよくなった場合にも、第２分流電動弁、第３分流電動弁及びバイパス電動弁の開度操作は、第１分流電動弁の１回の操作時間経過後でなければならないため、これらの第２分流電動弁、第３分流電動弁及びバイパス電動弁の操作が遅れて、制御装置による電動弁の制御性が低下する虞がある。
【０００８】
本発明の課題は、上述の事情を考慮してなされたものであり、複数の弁を順次切り替えて制御（開度操作）する際の制御性を向上させることができる空気調和装置を提供することにある。
【０００９】
【課題を解決するための手段】
請求項１記載の発明は、室外機、室内機、並びに上記室外機及び上記室内機の運転を制御する制御装置を有し、上記室外機と上記室内機の少なくとも一方には、これらの室外機及び室内機を循環する冷媒の流れを制御する複数の弁が配設され、これらの弁が、上記制御装置により順次切り替えられて開度操作される空気調和装置において、上記制御装置は、各弁の開度操作のため一定時間に定められた一回の操作時間以内で、現在開度操作中の弁が既に目標開度に到達した場合には、直ちに次の弁の開度操作に切り替えるようにしたものである。
【００１０】
請求項２記載の発明は、室外機、室内機、並びに上記室外機及び上記室内機の運転を制御する制御装置を有し、上記室外機と上記室内機の少なくとも一方には、これらの室外機及び室内機を循環する冷媒の流れを制御する複数の弁が配設され、これらの弁が、上記制御装置により順次切り替えられて開度操作される空気調和装置において、上記制御装置は、各弁の開度操作のため一定時間に定められた一回の操作時間以内では、現在開度操作中の弁が目標開度に到達しない場合に、当該弁が上記目標開度に到達するまで当該弁の上記操作時間を延長させるよう制御するものである。
【００１１】
請求項３記載の発明は、室外機、室内機、並びに上記室外機及び上記室内機の運転を制御する制御装置を有し、上記室外機と上記室内機の少なくとも一方には、これらの室外機及び室内機を循環する冷媒の流れを制御する複数の弁が配設され、これらの弁が、上記制御装置により順次切り替えられて開度操作される空気調和装置において、上記制御装置は、操作頻度が高い順に各弁に設定された優先順位を、空気調和装置の運転状況に応じて変更させるよう制御するものである。
【００１２】
請求項１に記載の発明には、次の作用がある。
【００１３】
制御装置が、各弁の１回の操作時間以内で、現在開度操作中の弁が既に目標開度に到達した場合に、直ちに次の弁の開度操作に切り替えることから、弁の１回の操作時間中に、当該弁を操作していない待機時間（無駄時間）を削除できるので、すべての弁を開度操作するための総所要時間を短縮でき、複数の弁を順次切り替えて制御（開度操作）する際の制御性を向上させることができる。
【００１４】
請求項２に記載の発明には、次の作用がある。
【００１５】
制御装置が、各弁における１回の操作時間以内では、現在開度操作中の弁が目標開度に到達していない場合に、当該弁が上記目標開度に到達するまで当該弁の上記１回の操作時間を延長させることから、弁を１回の操作時間内において目標開度まで設定できる。このため、弁を目標開度に設定するために、他の複数の弁の各１回の操作時間の後にめぐってくる当該弁の次回の操作時間まで待つ必要がなく、当該弁を迅速に目標開度に設定できる。この結果、複数の弁を順次切り替えて制御（開度操作）する際の制御性を向上させることができる。
【００１６】
請求項３に記載の発明には、次の作用がある。
【００１７】
制御装置が、操作頻度の高い順に各弁に設定された優先順位を、空気調和装置の運転状況に応じて変更することから、空気調和装置の任意の運転状況において最も開度操作が必要とされる優先順位の高い弁から順次開度操作が実行されるので、当該運転状況下で最も開度操作が必要とされる弁の操作が遅れず、複数の弁を順次切り替えて制御（開度操作）する際の制御性を向上させることができる。
【００１８】
【発明の実施の形態】
以下、本発明の実施の形態を図面に基づいて説明する。
【００１９】
[Ａ]第１の実施の形態
図１は、本発明に係る空気調和装置の第１の実施の形態における冷媒回路を示す回路図である。この図１に示すように、空気調和装置１０は、室外機１１、複数（例えば３台）の室内機１２Ａ、１２Ｂ、１２Ｃ及び制御装置１３を有してなり、室外機１１の室外冷媒配管１４と室内機１２Ａ、１２Ｂ、１２Ｃの室内冷媒配管１５Ａ、１５Ｂ、１５Ｃとが連結されている。
【００２０】
室外機１１は室外に設置され、室外冷媒配管１４に圧縮機１６が配設され、この圧縮機１６の吸込側にアキュムレータ１７が、吐出側に四方弁１８が室外冷媒配管１４を介してそれぞれ接続され、この四方弁１８に室外熱交換器１９が室外冷媒配管１４を介して接続されて構成される。室外熱交換器１９には、この室外熱交換器１９へ向かって送風する室外ファン２０が隣接して配置されている。また、圧縮機１６は、フレキシブルカップリング２４を介してガスエンジン２５に連結され、このガスエンジン２５により駆動される。
【００２１】
一方、室内機１２Ａ、１２Ｂ、１２Ｃはそれぞれ室内に設置され、それぞれ、室内冷媒配管１５Ａ、１５Ｂ、１５Ｃに室内熱交換器２１Ａ、２１Ｂ、２１Ｃが配設される。上記室内熱交換器２１Ａ、２１Ｂ、２１Ｃには、これらの室内熱交換器２１Ａ、２１Ｂ、２１Ｃへ送風する室内ファン２３Ａ、２３Ｂ、２３Ｃが隣接して配置されている。
【００２２】
また、上記制御装置１３は、室外機１１及び室内機１２Ａ、１２Ｂ…の運転を制御し、具体的には、室外機１１におけるガスエンジン２５、四方弁１８及び室外ファン２０のファン駆動モータ２６、並びに室内機１２Ａ、１２Ｂ…における室内ファン２３Ａ、２３Ｂ、２３Ｃを駆動するファン駆動モータ２７Ａ、２７Ｂ、２７Ｃをそれぞれ制御する。更に、制御装置１３は、後述のメイン電動弁３０、第１分流電動弁３１、第２分流電動弁３２、第３分流電動弁３３及びバイパス電動弁３４の開度も制御する。
【００２３】
制御装置１３により四方弁１８が切り替えられることにより、空気調和装置１０が冷房運転又は暖房運転に設定される。つまり、制御装置１３が四方弁１８を冷房側に切り替えたときには、冷媒が実線矢印の如く流れ、室外熱交換器１９が凝縮器に、室内熱交換器２１Ａ、２１Ｂ、２１Ｃが蒸発器になって冷房運転状態となり、各室内熱交換器２１Ａ、２１Ｂ、２１Ｃが室内を冷房する。また、制御装置１３が四方弁１８を暖房側に切り替えたときには、冷媒が破線矢印の如く流れ、室内熱交換器２１Ａ、２１Ｂ、２１Ｃが凝縮器に、室外熱交換器１９が蒸発器になって暖房運転状態となり、各室内熱交換器２１Ａ、２１Ｂ、２１Ｃが室内を暖房する。
【００２４】
上記メイン電動弁３０は、室外機１１の室外冷媒配管１４において、室外熱交換器１９に対し冷房運転時の下流側近傍に、逆止弁３５と並列状態で配設される。このメイン電動弁３０は、空気調和装置１０の冷房運転又は暖房運転時に、室内機１２Ａ、１２Ｂ及び１２Ｃにおける総合の空調負荷に応じてその開度が設定操作されて、冷媒の流れを制御する。
【００２５】
上記第１分流電動弁３１、第２分流電動弁３２、第３分流電動弁３３は、室外機１１の室外冷媒配管１４において、メイン電動弁３０に対し冷房運転時の下流側に、それぞれ並列状態で配設される。これらの第１分流電動弁３１、第２分流電動弁３２、第３分流電動弁３３は、空気調和装置１０の冷房運転時又は暖房運転時に、それぞれ室内機１２Ａ、１２Ｂ、１２Ｃの空調負荷に応じてそれらの開度が設定操作されて、冷媒の流れを制御する。例えば、第１分流電動弁３１、第２分流電動弁３２、第３分流電動弁３３のそれぞれは、対応する室内機１２Ａ、１２Ｂ、１２Ｃの運転が停止されたときに全閉操作される。
【００２６】
上記バイパス電動弁３４は、室外機１１の室外冷媒配管１４において、圧縮機１６と四方弁１８との間に配設され、空気調和装置１０の冷房運転時又は暖房運転時に、圧縮機１６の吐出側の冷媒圧力が上昇してガスエンジン２５の負荷が増大したときに、その開度が大に設定操作されて、圧縮機１６から吐出された冷媒を圧縮機１６の吸込側に逃がす。
【００２７】
上述のメイン電動弁３０、第１分流電動弁３１、第２分流電動弁３２、第３分流電動弁３３及びバイパス電動弁３４は例えばステッピングモータにて駆動され、このステッピングモータの回転位置を制御装置１３が制御することにより、制御装置１３が上記各電動弁３０〜３４の開度を操作する。
【００２８】
上記制御装置１３は、各電動弁３０〜３４の操作頻度が高い順に、これらの電動弁３０〜３４に優先順位を固定して(変更することなく)設定する。本実施の形態では、メイン電動弁３０が最も優先順位が高く、次に第１分流電動弁３１、第２分流電動弁３２、第３分流電動弁３３の順で優先順位が低くなり、バイパス電動弁３４が最も低い優先順位に設定される。制御装置１３は、優先順位の最も高いメイン電動弁３０から開度操作を実施し、次に優先順位の高い第１分流電動弁３１に切り替えて開度操作を実施し、以下第２分流電動弁３２、第３分流電動弁３３、バイパス電動弁３４についてもこの順に切り替えて開度操作を実施する。
【００２９】
また、制御装置１３は、各電動弁３０〜３４の開度操作のための１回の操作時間を一律に一定時間に設定している。そして、この制御装置１３は、１回の操作時間以内において、電動弁３０〜３４が既に目標開度に到達した場合には、直ちに次の優先順位の電動弁３０〜３４の開度操作に切り替えるよう制御する。
【００３０】
つまり、制御装置１３は、図２に示すように、電動弁３０〜３４の制御開始と同時に、まず内蔵のタイマをクリアし（ステップＳ１１）、優先順位の最も高いメイン電動弁３０の現在開度(現在値)が目標開度(目標値)に到達しているか否かを判定する（ステップＳ１２）。制御装置１３は、メイン電動弁３０の現在開度が目標開度に到達していないときに、メイン電動弁３０の開度を操作し（ステップＳ１３）、１回の操作時間(例えば１０００ｍｓｅｃ)が経過したか否かを判定し（ステップＳ１４）、上記操作時間に至っていないときに、上述のステップＳ１２〜Ｓ１４を繰り返す。
【００３１】
上記ステップＳ１４において１回の操作時間が経過したとき、又はステップＳ１２で操作時間の経過前にメイン電動弁３０の現在開度が目標開度に到達したときには、制御装置１３は、直ちに前記タイマをクリアし（ステップＳ１５）、次に優先順位の高い第１分流電動弁３１の現在開度が目標開度に到達しているか否かを判定する（ステップＳ１６）。制御装置１３は、第１分流電動弁３１の現在開度が目標開度に到達していないときに、第１分流電動弁３１の開度を操作し（ステップＳ１７）、１回の操作時間（例えば１０００ｍｓｅｃ）が経過したか否かを判定し（ステップＳ１８）、上記操作時間に至っていないときに、上述のステップＳ１６〜Ｓ１８を繰り返す。
【００３２】
上記ステップＳ１８において上記操作時間に至ったとき、又はステップＳ１６で１回の操作時間の経過前に第１分流電動弁３１の現在開度が目標開度に到達したときには、制御装置１３は、直ちに前記タイマをクリアし（ステップＳ１９）、次に優先順位の高い第２分流電動弁３２の現在開度が目標開度に到達しているか否かを判定する（ステップＳ２０）。制御装置１３は、第２分流電動弁３２の現在開度が目標開度に到達していないときに、第２分流電動弁３２の開度を操作し（ステップＳ２１）、１回の操作時間(例えば１０００ｍｓｅｃ)が経過したか否かを判定し（ステップＳ２２）、上記操作時間に至っていないときに、上述のステップＳ２０〜Ｓ２２を繰り返す。
【００３３】
上述のメイン電動弁３０、第１分流電動弁３１及び第２分流電動弁３２と同様にして、制御装置１３は第３分流電動弁３３の開度を操作する。
【００３４】
最後に、制御装置１３は、第３分流電動弁３３の１回の操作時間が経過したとき、又は１回の操作時間経過前に第３分流電動弁３３の現在開度が目標開度に到達したときに、直ちにタイマをクリアし（ステップＳ２３）、優先順位が最も低いバイパス電動弁３４の現在開度が目標開度に到達しているか否かを判定する（ステップＳ２４）。制御装置１３は、バイパス電動弁３４の現在開度が目標開度に到達していないときに、バイパス電動弁３４の開度を操作し（ステップＳ２５）、１回の操作時間（例えば１０００ｍｓｅｃ）が経過したか否かを判定し（ステップＳ２６）、上記操作時間に至っていないときに、上述のステップＳ２４〜Ｓ２５を繰り返す。
【００３５】
上記ステップＳ２６において上記操作時間に至ったとき、又は上記ステップＳ２４でバイパス電動弁３４の現在開度が目標開度に到達したときには、制御装置１３は、ステップＳ１１に戻り、上述のステップＳ１１〜Ｓ２６を繰り返す。
【００３６】
従って、上記実施の形態の空気調和装置１０によれば、次の効果▲１▼を奏する。
【００３７】
▲１▼制御装置１３が、各電動弁３０〜３４の１回の操作時間以内で、現在開度操作中の電動弁３０〜３４（例えばメイン電動弁３０）が既に目標開度に到達した場合に、直ちに次の電動弁３０〜３４（例えば第１分流電動弁３１）の開度操作に切り替えることから、電動弁３０〜３４の操作時間中に、当該電動弁３０〜３４を操作していない待機時間（無駄時間）を削除できるので、すべての電動弁３０〜３４を開度操作するための総所要時間を短縮でき、複数の電動弁３０〜３４を順次切り替えて制御（開度操作）する際の制御性を向上させることができる。
【００３８】
[Ｂ]第２の実施の形態
図３は、本発明に係る空気調和装置の第２の実施の形態における制御装置が実施する電動弁の制御を示すフローチャートである。この第２の実施の形態において、前記第１の実施の形態と同様な部分は、同一の符号を付すことにより説明を省略する。
【００３９】
この第２の実施の形態における空気調和装置４０の制御装置４１も、各電動弁３０〜３４の操作頻度が高い順に、これらの電動弁３０〜３４に優先順位を固定して（変更することなく）設定し、優先順位の高い順、つまりメイン電動弁３０、第１分流電動弁３１、第２分流電動弁３２、第３分流電動弁３３、バイパス電動弁３４の順に各電動弁３０〜３４を切り替えて開度操作する。更に、この空気調和装置４０は、各電動弁３０〜３４の１回の開度操作のための操作時間を、一旦一律に一定時間に設定しておく。そして、この空気調和装置４０は、１回の上記操作時間においても各電動弁３０〜３４が目標開度に到達しなかった場合には、当該電動弁３０〜３４が目標開度に到達するまで当該電動弁３０〜３４の１回の操作時間を延長させる。
【００４０】
つまり、制御装置４１は、図３に示すように、電動弁３０〜３４の制御開始により、まず優先順位の最も高いメイン電動弁３０を、１回の操作時間内において開度操作し（ステップＳ３１）、この操作後のメイン電動弁３０の現在開度(現在値)が目標開度(目標値)に到達しているか否かを判定する（ステップＳ３２）。制御装置４１は、メイン電動弁３０の現在開度が目標開度に到達していないときには、上記１回の操作時間を延長させて、引き続きメイン電動弁３０を目標開度まで開度操作する（ステップＳ３１およびＳ３２）。
【００４１】
メイン電動弁３０が目標開度に到達した段階で、制御装置４１は、次の優先順位の第１分流電動弁３１を、１回の操作時間内において開度操作する（ステップＳ３３）。次に、制御装置４１は、この操作後の第１分流電動弁３１の現在開度が目標開度に到達しているか否かを判定し（ステップＳ３４）、第１分流電動弁３１の現在開度が目標開度に到達していないときに、上記１回の操作時間を延長させて、引き続き第１分流電動弁３１を目標開度まで開度操作する（ステップＳ３３およびＳ３４）。
【００４２】
第１分流電動弁３１が目標開度に到達した段階で、制御装置４１は、次の優先順位の第２分流電動弁３２を、１回の操作時間内において開度操作する（ステップＳ３５）。次に、制御装置４１は、この操作後の第２分流電動弁３２の現在開度が目標開度に到達しているか否かを判定し（ステップＳ３６）、第２分流電動弁３２の現在開度が目標開度に到達していないときに、上記１回の操作時間を延長させて、引き続き第２分流電動弁３２を目標開度まで開度操作する（ステップＳ３５およびＳ３６）。
【００４３】
次の優先順位の第３分流電動弁３３についても、制御装置４１は上述のステップＳ３５及びステップＳ３６と同様な開度操作を実行する。
【００４４】
第３分流電動弁３３が目標開度に到達した段階で、制御装置４１は、次の優先順位のバイパス電動弁３４を、１回の操作時間内において開度操作する（ステップＳ３７）。次に、制御装置４１は、この操作後のバイパス電動弁３４の現在開度が目標開度に到達しているか否かを判定し（ステップＳ３８）、バイパス電動弁３４の現在開度が目標開度に到達していないときに、上記１回の操作時間を延長させて、引き続きバイパス電動弁３４を目標開度まで開度操作する（ステップＳ３７およびＳ３８）。
【００４５】
従って、上記実施の形態の空気調和装置４０によれば、次の効果▲２▼を奏する。
【００４６】
▲２▼制御装置１３が、各電動弁３０〜３４における１回の操作時間以内では、現在開度操作中の電動弁３０〜３４が目標開度に到達していない場合に、当該電動弁３０〜３４が上記目標開度に到達するまで当該電動弁３０〜３４の上記操作時間を延長させることから、電動弁３０〜３４を１回の操作時間内において目標開度まで設定できる。このため、電動弁３０〜３４（例えばメイン電動弁３０）を目標開度に設定するために、他の複数の電動弁３０〜３４（例えば第一分流電動弁３１〜バイパス電動弁３４）の操作時間の後にめぐってくる当該電動弁３０〜３４（例えばメイン電動弁３０）の次回の操作時間まで待つ必要がなく、当該電動弁３０〜３４（例えばメイン電動弁３０）を迅速に目標開度に設定できる。この結果、複数の電動弁３０〜３４を順次切り替えて制御(開度操作)する際の制御性を向上させることができる。
【００４７】
[Ｃ]第３の実施の形態
図４は、本発明に係る空気調和装置の第３の実施の形態における制御装置が実施する電動弁の制御を示すフローチャートである。この第３の実施の形態において、前記第１の実施の形態と同様な部分は、同一の符号を付すことにより説明を省略する。
【００４８】
この第３の実施の形態における空気調和装置５０の制御装置５１は、各電動弁３０〜３４の操作頻度が高い順に、これらの電動弁３０〜３４に優先順位を設定し、この優先順位を、空気調和装置５０のその時点における運転状況に応じて変更可能とする。
【００４９】
つまり、制御装置５１は、図４に示すように、優先順位１の電動弁３０〜３４を１回の操作時間内で開度操作し（ステップＳ４１）、次に、優先順位２の電動弁３０〜３４を１回の操作時間内で開度操作し（ステップＳ４２）、次に、優先順位３の電動弁３０〜３４を１回の操作時間内で開度操作し（ステップＳ４３）、次に、優先順位４の電動弁３０〜３４を１回の操作時間内で開度操作し（ステップＳ４４）、最後に、優先順位５の電動弁３０〜３４を１回の操作時間内で開度操作する（ステップＳ４５）。
【００５０】
制御装置５１は、一般には、優先順位が高い順、つまりメイン電動弁３０、第１分流電動弁３１、第２分流電動弁３２、第３分流電動弁３３、バイパス電動弁３４の順に上述のような電動弁３０〜３４の開度操作を実施する。しかし、制御装置５１は、例えばガスエンジン２５の負荷が増大してしまった場合には、バイパス電動弁３４を優先順位１に変更して電動弁３０〜３４を開度操作し、又、室内機１２Ａの運転が停止されたときには、第１分流電動弁３１を優先順位５に変更して電動弁３０〜３４を開度操作する。
【００５１】
従って、上記実施の形態の空気調和装置５０によれば、次の効果▲３▼を奏する。
【００５２】
▲３▼制御装置１３が、操作頻度の高い順に各電動弁３０〜３４に設定された優先順位を、空気調和装置５０の運転状況に応じて変更することから、空気調和装置５０の任意の運転状況に応じて最も開度操作が必要とされる優先順位の高い電動弁３０〜３４から順次開度操作が実施されるので、当該運転状況下で最も開度操作が必要とされる電動弁３０〜３４の操作が遅れず、複数の電動弁３０〜３４を順次切り替えて制御（開度操作）する際の制御性を向上させることができる。
【００５３】
以上、一実施の形態に基づいて本発明を説明したが、本発明はこれに限定されるものではない。
【００５４】
例えば、上記各実施の形態において、第１分流電動弁３１、第２分流電動弁３２、第３分流電動弁３３は室外冷媒配管１４に配設されるものを述べたが、それぞれ室内冷媒配管１５Ａ、１５Ｂ、１５Ｃに配設されていてもよい。
【００５５】
また、メイン電動弁３０、第１分流電動弁３１、第２分流電動弁３２、第３分流電動弁３３及びバイパス電動弁３４は電動弁の場合を述べたが、制御装置１３、４１、５１により遠隔操作可能な電磁弁や空気圧駆動弁であってもよい。
【００５６】
【発明の効果】
以上のように、本発明に係る空気調和装置によれば、室外機及び室内機を循環する冷媒の流れを制御する複数の弁は、制御装置により、順次切り替えられて開度操作されるとともに、各弁の開度操作のため一定時間に定められた１回の操作時間以内で、現在開度操作中の弁が既に目標開度に到達した場合には、直ちに次の弁の開度操作に切り替えるよう制御されることから、複数の弁を順次切り替えて制御する際の制御性を向上させることができる。
【図面の簡単な説明】
【図１】本発明に係る空気調和装置の第１の実施の形態における冷媒回路を示す回路図である。
【図２】図１の空気調和装置が実施する電動弁の制御を示すフローチャートである。
【図３】本発明に係る空気調和装置の第２の実施の形態における制御装置が実施する電動弁の制御を示すフローチャートである。
【図４】本発明に係る空気調和装置の第３の実施の形態における制御装置が実施する電動弁の制御を示すフローチャートである。
【図５】従来の空気調和装置における制御装置が実施する電動弁の制御を示すフローチャートである。
【符号の説明】
１０  空気調和措置
１１  室外機
１２Ａ  室内機
１２Ｂ  室内機
１２Ｃ  室内機
１３  制御装置
３０  メイン電動弁
３１  第１分流電動弁
３２  第２分流電動弁
３３  第３分流電動弁
３４  バイパス電動弁
【図１】
0003717657.tif 000002
【図２】
0003717657.tif 000003
【図３】
0003717657.tif 000004
【図４】
0003717657.tif 000005
【図５】
0003717657.tif 000006